【手続補正書】
【提出日】平成17年11月1日(2005.11.1)
【手続補正１】
【補正対象書類名】特許請求の範囲
【補正対象項目名】全文
【補正方法】変更
【補正の内容】
【特許請求の範囲】
【請求項１】
使い捨て開閉自在蓋であって、
カップの開放上部に重なってそれをほぼ覆う大きさであって、取り付けリセスと飲み口からなるキャップと、
該キャップをカップに取り付けるために該キャップに接続されている取り付けリングと、
ストラップによって接続された取り付けプラグと飲み口プラグを有するタブ閉鎖部材であって、該取り付けプラグは、該タブ閉鎖部材を該キャップに取り付けるための該取り付けリセス内に嵌め込まれるサイズとなっている、タブ閉鎖部材と、
を備えており、
該キャップと該タブ閉鎖部材は同一のプラスチックシートから熱成形されたものであり、
該タブ閉鎖部材が該キャップに残っている状態で、該飲み口プラグを該飲み口から外したり、挿入したりすることにより、使用者が該蓋を開閉可能である、安価で組立て容易な
使い捨て開閉自在蓋。
【請求項２】
前記飲み口プラグは、前記飲み口より大きいまたは等しい寸法の部分を有し、それにより、該飲み口プラグが該飲み口内にスナップ嵌めされる、請求項１の使い捨て開閉自在蓋。
【請求項３】
前記飲み口は、窪みを有し、前記蓋を閉鎖する時、前記飲み口プラグは、該窪みにはまる請求項１の使い捨て開閉自在蓋。
【請求項４】
前記窪みと前記飲み口プラグは、該飲み口プラグが該窪み内にプレス嵌め可能である、請求項３の使い捨て開閉自在蓋。
【請求項５】
前記窪みは、前記飲み口から内向きに延出した外周壁を有し、前記飲み口プラグは、該窪み外周壁に対して相補的な外周壁を有し、それにより、該飲み口プラグを該窪みに挿入してプレス嵌め連結する時、該窪み及び飲み口プラグ外周壁の少なくとも一部が接触する請求項４の使い捨て開閉自在蓋。
【請求項６】
前記窪みは、前記外周壁から延出した底壁をさらに有し、該底壁に下部開口が形成されており、前記飲み口プラグは、相補的な底壁を有し、該底壁から前記飲み口プラグ外周壁が延出しており、該窪み及び飲み口プラグ底壁の協働により、該窪み内への該飲み口プラグの挿入が制限される請求項５の使い捨て開閉自在蓋。
【請求項７】
前記蓋が開放位置にある時、前記飲み口プラグを保管位置に保持する飲み口プラグホルダをさらに備えている請求項１の使い捨て開閉自在蓋。
【請求項８】
前記飲み口プラグホルダは、前記キャップ及び取り付けリングの一方から延出した少なくとも１つのフィンガを有し、該フィンガは、前記タブ閉鎖部材の一部に重なり、それにより、前記飲み口プラグを保管位置に保持する請求項７の使い捨て開閉自在蓋。
【請求項９】
前記飲み口プラグホルダは、前記キャップ内にリセスを有し、前記飲み口プラグを受け取って該飲み口プラグを保管位置に保持することができる寸法である請求項８の使い捨て開閉自在蓋。
【請求項１０】
前記飲み口プラグホルダは、前記キャップ及びタブ閉鎖部材の一方に突起を、また、該キャップ及びタブ閉鎖部材の他方に相補的なリセスを有し、それにより、該突起が前記リセスにはまって、前記飲み口プラグを保管位置に保持する請求項８の使い捨て開閉自在蓋。
【請求項１１】
前記タブ閉鎖部材は、前記取り付けプラグが前記取り付けリセス内に嵌め込まれることにより、前記キャップに機械的に連結される請求項１の使い捨て開閉自在蓋。
【請求項１２】
前記取り付けプラグは、取り外し自在に前記取り付けリセスに連結される請求項１の使い捨て開閉自在蓋。
【請求項１３】
前記飲み口プラグと前記取り付けプラグの一方は、プレス嵌め関係またはスナップ嵌め関係のいずれか一方で、対応する飲み口または取り付けリセスに嵌め込まれる請求項１の使い捨て開閉自在蓋。
【請求項１４】
前記飲み口プラグと前記取り付けプラグの他の一方は、プレス嵌め関係またはスナップ嵌め関係のいずれか一方で、対応する飲み口または取り付けリセスに嵌め込まれる請求項１３の使い捨て開閉自在蓋。
【請求項１５】
前記取り付けリセスは、該取り付けリセスの開放上部を画定する外周リムを有し、前記飲み口プラグホルダは突起を含み、該突起は、該開放上部と同じか、それより大きい寸法の部分を有し、それにより、該突起を該開放上部内に嵌め込んだ時、プレス嵌め関係を生じる請求項１０の使い捨て開閉自在蓋。
【請求項１６】
前記取り付けプラグは、外周壁を有し、前記取り付けリセスは、外周壁を有しており、該取り付けプラグを該取り付けリセスにはめ込んだ時、該外周壁の少なくとも一部が当接し、それにより、プレス嵌め関係を生じる請求項１５の使い捨て開閉自在蓋。
【請求項１７】
前記外周壁の各々は、マイナスの勾配を有する請求項１５の使い捨て開閉自在蓋。
【請求項１８】
前記外周壁は、同じ勾配を有する請求項１７の使い捨て開閉自在蓋。
【請求項１９】
前記外周壁は、別の勾配を有する請求項１８の使い捨て開閉自在蓋。
【請求項２０】
前記飲み口は、窪みを有し、前記蓋を閉鎖する時、前記飲み口プラグは、該窪みにはまる請求項１５の使い捨て開閉自在蓋。
【請求項２１】
前記窪みと前記飲み口プラグは、該飲み口プラグが該窪み内にプレス嵌め可能な大きさである、請求項２０の使い捨て開閉自在蓋。
【請求項２２】
前記窪みは、前記飲み口から内向きに延出した外周壁を有し、前記飲み口プラグは、該窪み外周壁に対して相補的な外周壁を有し、それにより、該飲み口プラグを該窪みに挿入してスナップ嵌め連結する時、該窪み及び飲み口プラグ外周壁の少なくとも一部が接触する請求項２１の使い捨て開閉自在蓋。
【請求項２３】
前記タブ閉鎖部材は、前記取り付けプラグを前記ストラップに接続するヒンジをさらに有する請求項１の使い捨て開閉自在蓋。
【請求項２４】
前記飲み口プラグは、該飲み口プラグを前記飲み口から外すのを助けるリフトタブを備えている請求項１の使い捨て開閉自在蓋。
【請求項２５】
前記取り付けプラグの外周は、前記リセスの外周以上の大きさであり、それにより、該取り付けプラグは、該リセス内にスナップ嵌めされる請求項１の使い捨て開閉自在蓋。
【請求項２６】
前記リセスは、前記キャップ上に位置し、前記取り付けプラグは、前記タブ閉鎖部材上に位置する請求項１の使い捨て開閉自在蓋。
【請求項２７】
前記リセスは、底壁を有し、前記取り付けプラグは、底壁を有しており、該取り付けプラグを該リセスにはめ込んだ時、該取り付けプラグ底壁は、該リセス底壁から上方に間隔をとって位置し、それにより、その間にチャンバーを画定する請求項２６の使い捨て開閉自在蓋。
【請求項２８】
前記リセス底壁に形成されて、前記チャンバーに流体連通しているベント開口をさらに有する請求項２７の使い捨て開閉自在蓋。
【請求項２９】
前記取り付けプラグは、前記チャンバーに流体連通しているベント開口を有する請求項２８の使い捨て開閉自在蓋。
【請求項３０】
前記取り付けプラグのベント開口は、液体本来の表面張力によって液体が開口全体に広がることができないような大きさである請求項２９の使い捨て開閉自在蓋。
【請求項３１】
前記リセス及び前記取り付けプラグは、対応の嵌め込み部分を有し、前記ストラップは、該嵌め込み部分で該取り付けプラグに接続する請求項２６の使い捨て開閉自在蓋。
【請求項３２】
前記ストラップを前記取り付けプラグに接続するヒンジをさらに有する請求項３１の使い捨て開閉自在蓋。
【請求項３３】
前記リセス及び前記取り付けプラグは、該リセスに取り付けプラグが嵌め込まれるときには互いに当接する補間的な外周壁を有する請求項３１の使い捨て開閉自在蓋。
【請求項３４】
前記取り付けプラグは、外周リップを有し、前記リセスは、相補的な外周水平棚部を有し、該取り付けプラグを該リセスにはめ込む時、該リップは該水平棚部に載置される請求項３３の使い捨て開閉自在蓋。
【請求項３５】
前記キャップは、ドーム形であって、前記取り付けリングの上方に位置する上面を有し、該上面に前記リセスが形成されている請求項２６の使い捨て開閉自在蓋。
【請求項３６】
前記キャップは、前記上面を少なくとも部分的に包囲し、前記飲み口が位置する上縁部で終端する壁をさらに有する請求項３５の使い捨て開閉自在蓋。
【請求項３７】
前記飲み口は、前記リセスより高い位置にある請求項３６の使い捨て開閉自在蓋。
【請求項３８】
前記壁の幅は、前記飲み口の両端部で狭くなっている請求項３６の使い捨て開閉自在蓋。
【請求項３９】
前記キャップは、前記蓋が開放位置にある時、前記飲み口プラグを保管位置に保持する飲み口プラグホルダをさらに備えている請求項３６の使い捨て開閉自在蓋。
【請求項４０】
前記飲み口プラグホルダは、前記飲み口プラグを受け該飲み口プラグを保管位置に保持することができる大きさのリセスを前記キャップ内に有する請求項３９の使い捨て開閉自在蓋。
【請求項４１】
前記飲み口プラグホルダは、前記飲み口プラグホルダリセス内へ延出した少なくとも１つのフィンガをさらに有し、該フィンガは、前記タブ閉鎖部材の一部に重なり、それにより、前記飲み口プラグを保管位置に保持する請求項４０の使い捨て開閉自在蓋。
【請求項４２】
前記ストラップは、前記飲み口プラグを前記取り付けプラグに接続する請求項３６の使い捨て開閉自在蓋。
【請求項４３】
前記タブ閉鎖部材は、前記取り付けプラグを前記ストラップに接続するヒンジを更に含む請求項４２の使い捨て開閉自在蓋。
【請求項４４】
前記飲み口プラグは、前記飲み口からの該飲み口プラグの取り外しに役立つリフトタブを含む請求項４３の使い捨て開閉自在蓋。
【請求項４５】
前記取り付けプラグの外周は、前記リセスの外周以上の大きさであり、それにより、該取り付けプラグは、該リセス内にスナップ嵌めされる請求項４４の使い捨て開閉自在蓋。
【請求項４６】
前記リセスは前記キャップ上に位置し、前記取り付けプラグは前記タブ閉鎖部材上に位置する請求項４５の使い捨て開閉自在蓋。
【請求項４７】
使い捨て開閉自在蓋であって、
カップの開放上部に重なってそれをほぼ覆う大きさのドーム型キャップであって、取り付けリセスと、上面と、少なくとも部分的に該上面を包囲し上端で終端する壁と、該上端に位置する飲み口からなる、ドーム型キャップと、
該キャップをカップに取り付けるために該キャップに接続されている取り付けリングと、
ストラップによって接続された取り付けプラグと飲み口プラグを有するタブ閉鎖部材であって、該取り付けプラグは、該取り付けリセス内に嵌め込まれるサイズとなっている、タブ閉鎖部材と、
を備えており、
該飲み口プラグを該飲み口から外したり、挿入したりすることにより、使用者が該蓋を開閉可能である、
使い捨て開閉自在蓋。
【請求項４８】
前記飲み口は、前記リセスより高い位置にある請求項４７の使い捨て開閉自在蓋。
【請求項４９】
前記壁の幅は、前記飲み口の両端部で狭くなっている請求項４７の使い捨て開閉自在蓋。
【請求項５０】
前記キャップは、前記蓋が開放位置にある時、前記飲み口プラグを保管位置に保持する飲み口プラグホルダをさらに備えている請求項４７の使い捨て開閉自在蓋。
【請求項５１】
前記飲み口プラグホルダは、前記飲み口プラグを受け該飲み口プラグを保管位置に保持することができる大きさのリセスを前記キャップ内に有する請求項５０の使い捨て開閉自在蓋。
【請求項５２】
前記飲み口プラグホルダは、前記飲み口プラグホルダリセス内へ延出した少なくとも１つのフィンガをさらに有し、該フィンガは、前記タブ閉鎖部材の一部に重なり、それにより、前記飲み口プラグを保管位置に保持する請求項５１の使い捨て開閉自在蓋。
【請求項５３】
前記タブ閉鎖部材は、前記取り付けプラグを前記ストラップに接続するヒンジをさらに有する請求項４７の使い捨て開閉自在蓋。
【請求項５４】
前記飲み口プラグは、該飲み口プラグを前記飲み口から外すのを助けるリフトタブを備えている請求項４７の使い捨て開閉自在蓋。
【請求項５５】
前記取り付けプラグの外周は、前記リセスの外周以上の大きさであり、それにより、該取り付けプラグは、該リセス内にスナップ嵌めされる請求項４７の使い捨て開閉自在蓋。
【請求項５６】
前記リセスは、底壁を有し、前記取り付けプラグは、底壁を有しており、該取り付けプラグを該リセスにはめ込んだ時、該取り付けプラグ底壁は、該リセス底壁から上方に間隔をとって位置し、それにより、その間にチャンバーを画定する請求項４７の使い捨て開閉自在蓋。
【請求項５７】
前記リセス底壁に形成されて、前記チャンバーに流体連通しているベント開口をさらに有する請求項５６の使い捨て開閉自在蓋。
【請求項５８】
前記取り付けプラグは、前記チャンバーに流体連通しているベント開口を有する請求項５７の使い捨て開閉自在蓋。
【請求項５９】
前記取り付けプラグベント開口は、液体本来の表面張力によって液体が開口全体に広がることができないような大きさである請求項５８の使い捨て開閉自在蓋。
【請求項６０】
前記リセス及び前記取り付けプラグは、対応の嵌め込み部分を有し、前記ストラップは、該はめ込み部分で該取り付けプラグに接続する請求項４７の使い捨て開閉自在蓋。
【請求項６１】
前記キャップ、前記取り付けリング及び前記タブは、プラスチックシートから形成され、ほぼ均一の厚さを有する請求項４７の使い捨て開閉自在蓋。
【請求項６２】
前記飲み口プラグは、前記飲み口以上の寸法の部分を有し、それにより、該飲み口プラグは、該飲み口内にスナップ嵌めされる請求項４７の使い捨て開閉自在蓋。
【請求項６３】
前記飲み口は、窪みを有し、前記蓋を閉鎖する時、前記飲み口プラグは、該窪みにはまる請求項４７の使い捨て開閉自在蓋。
【請求項６４】
前記窪み及び前記飲み口プラグは、該飲み口プラグが該窪みにプレス嵌めされるようにする大きさである請求項４７の使い捨て開閉自在蓋。  
【請求項６５】
前記タブは、前記キャップに取り外し可能に結合されている請求項４７の使い捨て開閉自在蓋。
【請求項６６】
前記取り付けリングは、カップのリムを受ける寸法の外周チャネルを画定する請求項４７の使い捨て開閉自在蓋。
【請求項６７】
使い捨て開閉自在蓋であって、
カップの開放上部に重なってそれをほぼ覆う大きさで、飲み口と取り付けリセスが形成されたドーム型キャップと、
該キャップをカップに取り付けるために該キャップに接続されている取り付けリングと、
ストラップによって接続された取り付けプラグと飲み口プラグを有するタブ閉鎖部材であって、該取り付けプラグは、該取り付けリセス内に嵌め込まれるサイズとなっている、タブ閉鎖部材と、
を備えており、
該飲み口プラグを該飲み口から外したり、挿入したりすることにより、使用者が該蓋を開閉可能であり、
該リセスは底壁を有し、該取り付けプラグは底壁を有しており、該取り付けプラグを該リセスにはめ込んだ時、該取り付けプラグ底壁は、該リセス底壁から上方に間隔をとって位置し、それにより、その間にチャンバーを画定する
使い捨て開閉自在蓋。
【請求項６８】
前記リセス底壁に形成されて、前記チャンバーに流体連通しているベント開口をさらに有する請求項６７の使い捨て開閉自在蓋。
【請求項６９】
前記取り付けプラグは、前記チャンバーに流体連通しているベント開口を有する請求項６８の使い捨て開閉自在蓋。
【請求項７０】
前記取り付けプラグベント開口は、液体本来の表面張力によって液体が開口全体に広がることができないような大きさである請求項６９の使い捨て開閉自在蓋。
【請求項７１】
使い捨て開閉自在蓋であって、
カップの開放上部に重なってそれをほぼ覆う大きさで、飲み口と取り付けリセスが形成されたドーム型キャップと、
該キャップをカップに取り付けるために該キャップに接続されている取り付けリングと、
ストラップによって接続された取り付けプラグと飲み口プラグを有するタブ閉鎖部材であって、該取り付けプラグは、該取り付けリセス内に嵌め込まれるサイズとなっている、タブ閉鎖部材と、
を備えており、
該飲み口プラグを該飲み口から外したり、挿入したりすることにより、使用者が該蓋を開閉可能であり、
該リセス及び該取り付けプラグは、対応の嵌め込み部分を有し、前記ストラップは、該嵌め込み部分で該取り付けプラグに接続する
使い捨て開閉自在蓋。